(57)【要約】建物の壁下地６０に取り付けて固定される固定板１。固定板１の中央で前方に突出して設けられた水平片２。水平片２の前端から上方に突出して設けられ、上側に取り付けられる外装材５０の下端部を係合して支持する上支持片３。水平片２の前端から下方に突出して設けられ、下側に取り付けられる他の外装材５０の上端部を係合して支持する下支持片４。少なくとも一部が水平片２よりも上方に位置し、上側に取り付けられる外装材５０の下端部に当接してその荷重の少なくとも一部を受け止める受止片５。以上の構成が設けられた外装材取付金具Ａである。上側の外装材５０の荷重を下側の外装材５０と外装材取付金具Ａの受止片５とに分散して掛けることができる。
2011040515.tif 000002
【特許請求の範囲】
【請求項１】
建物の壁の上下方向に沿って取り付けられる外装材を建物の壁に固定するための外装材取付金具であって、
建物の壁下地に取り付けて固定される固定板と、
前記固定板の中央で前方に突出して設けられた水平片と、
前記水平片の前端から上方に突出して設けられ、上側に取り付けられる前記外装材の下端部を係合して支持する上支持片と、
前記水平片の前端から下方に突出して設けられ、下側に取り付けられる他の前記外装材の上端部を係合して支持する下支持片とを備えてなり、
前記外装材取付金具には、少なくとも一部が前記水平片よりも上方に位置し、上側に取り付けられる前記外装材の下端部に当接してその荷重の少なくとも一部を受け止める受止片が設けられていることを特徴とする外装材取付金具。
【請求項２】
前記受止片は、前記上支持片から前記固定板に向かって突出して形成された受止支持片であることを特徴とする請求項１に記載の外装材取付金具。
【請求項３】
前記受止支持片は、前記上支持片の一部を切り起こし、前記固定板に向かって突出して形成されていることを特徴とする請求項２に記載の外装材取付金具。
【請求項４】
前記受止片は、前記水平片に設けられた受止水平片であることを特徴とする請求項１に記載の外装材取付金具。
【請求項５】
前記受止水平片は、前記水平片の一部を切り起こして形成されていることを特徴とする請求項４に記載の外装材取付金具。
【請求項６】
前記受止水平片は、前記水平片から前上方に向かって延出していることを特徴とする請求項４または５に記載の外装材取付金具。
【請求項７】
前記受止片は、前記固定板から前方に向かって突出して形成された受止固定片であることを特徴とする請求項１に記載の外装材取付金具。
【請求項８】
前記受止片は、前記固定板の一部を切り起こして形成されていることを特徴とする請求項４に記載の外装材取付金具。
【請求項９】
前記下支持片に、前記固定板に向かって突出し、下側に取り付けられる前記外装材の上端部の前面に当接して前記固定板との間で前記外装材を挟み込んで固定する固定支持片が設けられたことを特徴とする請求項１〜８のいずれか１項に記載の外装材取付金具。
【請求項１０】
前記固定支持片は、挟み片と、挟み先端片とを有しており、
前記挟み片は、前記水平片から後下方に延出しており、
前記挟み先端片は、前記挟み片の下端から前下方に延出しており、これにより、前記下支持片は、前記固定板の左右方向に垂直な第１の断面を有しており、前記第１の断面はＶ字形状を有していることを特徴とする請求項９に記載の外装材取付金具。
【請求項１１】
前記下支持片は、一対の下支持側片を有しており、
前記下支持側片は、前記固定板の左右方向に沿って配置されており、
前記固定支持片は、前記下支持側片の間に位置することを特徴とする請求項９または１０に記載の外装材取付金具。
【請求項１２】
外装材取付金具は、さらに、固定リブを有しており、
前記固定リブは、前記固定板の上端部に設けられており、かつ、前記固定板の横方向にわたって設けられており、かつ、前方に突出するように屈曲して形成された板であることを特徴とする請求項１〜１１のいずれかに記載の外装材取付金具。
【請求項１３】
前記固定リブは、下側傾斜板と上側傾斜板とを有しており、
前記下側傾斜板は、前記固定板の上端から前上方に向かって延出しており、
前記上側傾斜板は、前記下側傾斜板の上端から後上方に延出しており、これにより、前記固定リブは、前記固定板の左右方向に垂直な第２の断面を有しており、第２の断面は、Ｌ字状に形成されており、
前記上側傾斜板には、固定具孔が設けられていることを特徴とする請求項１２に記載の外装材取付金具。
【請求項１４】
外装材取付金具は、さらに、固定リブを有しており、
前記固定リブは、前記固定板の下端部に設けられており、かつ、前記固定板の横方向にわたって設けられており、かつ、前方に突出するように屈曲して形成された板であることを特徴とする請求項１〜１３のいずれかに記載の外装材取付金具。
【請求項１５】
前記上支持片は、前記水平片の左右方向の両端部にそれぞれ設けられていることを特徴とする請求項１〜１４のいずれかに記載の外装材取付金具。
【請求項１６】
各前記上支持片は、前記水平片の前端から前上方向に延出していることを特徴とする請求項１〜１５のいずれかに記載の外装材取付金具。
【請求項１７】
前記下支持片は、メインプレートとサブプレートとを有しており、
前記サブプレートは、前記水平片の左右方向の中央の前端から前上方に向かって延出しており、
前記メインプレートは、前記サブプレートの前端から下方に向かって延出しており、これにより、前記下支持片は、前記水平片の前端とともに下支持リブを形成し、
前記下支持リブは、前記固定板の左右方向に沿って形成されており、
前記下支持リブは、前記固定板の左右方向に垂直な第３の断面を有しており、前記第３の断面は、Ｌ字状に形成されていることを特徴とする請求項１〜１６のいずれかに記載の外装材取付金具。
【請求項１８】
前記水平片は、前記固定板の厚み方向に沿った第１の長さを有しており、
前記固定板は、その左右方向の両端に、凸条部が設けられており、
各前記凸条部は、上下方向に延出しており、かつ、前記固定板の厚み方向に沿った第２の長さを有しており、前記第２の長さは、前記第１の長さよりも短いことを特徴とする請求項１〜１７のいずれかに記載の外装材取付金具。
【請求項１９】
各前記凸条部は、凸条前片と、凸条側片とを有しており、
前記凸条前片は、前記固定板から前方に延出しており、
前記凸条側片は、前記凸条前片の前端から前記固定板の左右方向に延出しており、
前記凸条部の上端部は、滑曲面を有しており、これにより、前記固定板と前記凸条前片と前記凸条側片とは、滑らかにつながっており、
前記凸条部の下端部は、滑曲面を有しており、これにより、前記固定板と前記凸条前片と前記凸条側片とは、滑らかにつながっていることを特徴とする請求項１８に記載の外装材取付金具。
【請求項２０】
前記水平片２は、水平凸部が設けられており、
前記水平凸部は、上方に突出して設けられており、
前記水平凸部の上面は平面であることを特徴とする請求項１〜１９のいずれかに記載の外装材取付金具。
【請求項２１】
前記水平凸部は、前記水平片の左右方向における中央に位置することを特徴とする請求項２０に記載の外装材取付金具。
【請求項２２】
前記水平凸部は、さらに、受止水平片を有しており、
前記受止水平片は、前記水平凸部から前上方に延出しており、
前記受止水平片は、前記受止片を定義することを特徴とする請求項２１に記載の外装材取付金具。
【請求項２３】
前記水平凸部には、Ｕ字状のスリットが形成されており、
前記スリットは、前記固定板の上下方向に垂直な面において、Ｕ字状の断面を有しており、
前記受止水平片は、前記スリットの内側の領域で定義され、
前記受止水平片は、前記水平凸部から前上方向に延出していることを特徴とする請求項２１または２２に記載の外装材取付金具。
【請求項２４】
請求項１〜２３のいずれか１項に記載の外装材取付金具を用いて建物の壁下地に前記外装材を取り付けて形成された外装材取付構造であって、
外装材取付金具の前記固定板が壁下地に取り付けられて固定され、
当該外装材取付金具の下側に取り付けられた前記外装材はその上端部が前記下支持片と係合して支持され、
当該外装材取付金具の上側に取り付けられた前記外装材は、その下端部が前記上支持片に係合して支持されるとともに前記受止片と下側に取り付けられた前記外装材とに当接し、その荷重を前記受止片と下側に取り付けられた前記外装材とに掛けて取り付けられていることを特徴とする外装材取付構造。
【発明の詳細な説明】
【技術分野】
【０００１】
本発明は、建物の壁下地に外装材を取り付けるために用いられる外装材取付金具及びこの外装材取付金具を用いて建物の壁下地に外装材を取り付けることによって形成された外装材取付構造に関するものである。
【背景技術】
【０００２】
従来、図１２のように、建物の壁下地６０に、外装材取付金具Ａを用いて外装材５０を係合させて取り付ける外装材取付構造が知られている（例えば特許文献１参照）。外装材取付金具Ａは、固定板１と、固定板１の中央で前方に突出して設けられた水平片２と、水平片２の前端から上方に突出して設けられた上支持片３と、水平片２の前端から下方に突出して設けられた下支持片４とを備えるものである。そして、外装材取付金具Ａを、建物の壁下地６０にネジや釘などの固定具６１を固定板１に設けられた固定具孔１０から差し込んで取り付けて固定し、外装材５０を、外装材取付金具Ａの上支持片３と固定板１との間に下係合部５３を挿入して係合させるとともに他の外装材取付金具Ａの下支持片４と固定板１との間に上係合部５４を挿入して係合させて取り付け、これを繰り返し上下方向に複数の外装材を取り付けることによって建物の外壁を形成することができるものである。なお凸条部１１は、固定板１の両側部に前方に突出して形成されており、それにより外装材５０と壁下地６０との間に通気スペース６２が形成されている。【０００３】
上記のような外装材取付構造にあっては、上側の外装材５０が下側の外装材５０の上面にその荷重を掛けて載置されるようになっている。すなわち、外装材５０の下端部には覆い部５１が外装材取付金具Ａの下支持片４を覆うように下方に延伸されて形成されており、この覆い部５１の下面が、下側に取り付けられた外装材５０の上端部に設けられた当接面５２に当接し、上側の外装材５０の荷重がこの当接部分で下側の外装材５０に掛けられている。【０００４】
ところが、このような外装材取付構造においては、下側に取り付けられた外装材５０に、大きな荷重が掛けられることがある。特に、複数枚の外装材５０を上下方向に取り付けた場合、壁の下部に取り付けられた外装材５０には、上側に取り付けられた複数枚の外装材５０の荷重が掛かり、その荷重が多大になる。外装材５０に掛かる荷重が大きくなると、外装材５０が破損したり変形したりするなどの問題が生じるおそれがあった。
【先行技術文献】
【特許文献】
【０００５】
【特許文献１】特開２００５−１４６８０２号公報
【発明の概要】
【発明が解決しようとする課題】
【０００６】
本発明は上記の点に鑑みてなされたものであり、下側に取り付けられる外装材に多大な荷重を掛けることなく外装材を取り付けることができ、外装材の破損や変形を防止することができる外装材取付金具及び外装材取付構造を提供することを目的とするものである。
【課題を解決するための手段】
【０００７】
上記課題を解決するため、本発明の外装材取付金具Ａは、建物の壁下地６０に取り付けて固定される固定板１と、固定板１の中央で前方に突出して設けられた水平片２と、水平片２の前端から上方に突出して設けられ、上側に取り付けられる外装材５０の下端部を係合して支持する上支持片３と、水平片２の前端から下方に突出して設けられ、下側に取り付けられる他の外装材５０の上端部を係合して支持する下支持片４とを備えてなる。【０００８】
外装材取付金具には、少なくとも一部が水平片２よりも上方に位置し、上側に取り付けられる外装材５０の下端部に当接してその荷重の少なくとも一部を受け止める受止片５が設けられたことを特徴とするものである。【０００９】
受止片５は、上支持片３の一部を切り起こし、固定板１に向かって突出して形成された受止支持片６であることが好ましい。【００１０】
受止片５は、水平片２の一部を切り起こして形成された受止水平片７であることも好ましい。【００１１】
受止片５は、固定板１の一部を切り起こし、前方に突出して形成された受止固定片８であることも好ましい。【００１２】
下支持片４に、固定板１に向かって突出し、下側に取り付けられる外装材５０の上端部の前面に当接して固定板１との間で当該外装材５０を挟み込んで固定する固定支持片９が設けられたことが好ましい。【００１３】
また、固定支持片は、挟み片９ａと、挟み先端片９ｂとを有していることが好ましい。挟み片９ａは、前記水平片から後下方に延出している。挟み先端片９ｂは、前記挟み片９ａの下端から前下方に延出しており、これにより、下支持片は、前記固定板の左右方向に垂直な第１の断面を有している。第１の断面はＶ字形状を有している。【００１４】
また、下支持片は、一対の下支持側片を有していることが好ましい。下支持側片は、前記固定板の左右方向に沿って配置されている。固定支持片は、前記下支持側片の間に位置する。【００１５】
前記外装材取付金具Ａは、さらに、固定リブ２１を有していることが好ましい。固定リブ２１は、前記固定板１の上端部に設けられている。固定リブ２１は、前記固定板１の横方向にわたって設けられている。固定リブ２１は、前方に突出するように屈曲して形成された板である。【００１６】
前記固定リブ２１は、下側傾斜板と上側傾斜板とを有していることが好ましい。前記下側傾斜板は、前記固定板１の上端から前上方に向かって延出している。上側傾斜板は、前記下側傾斜板の上端から後上方に延出しており、これにより、前記固定リブ２１は、前記固定板１の左右方向に垂直な第２の断面を有している。第２の断面は、Ｌ字状に形成されている。上側傾斜板には、固定具孔が設けられている。【００１７】
外装材取付金具Ａは、さらに、固定リブ２２を有していることが好ましい。固定リブ２２は、前記固定板１の下端部に設けられている。固定リブ２２は、固定板１の横方向にわたって設けられている。固定リブ２２は、前方に突出するように屈曲して形成された板である。【００１８】
また、上支持片は、水平片の左右方向の両端部にそれぞれ設けられていることが好ましい。【００１９】
また、各上支持片は、水平片の前端から前上方向に延出していることが好ましい。【００２０】
また、下支持片は、メインプレートとサブプレートとを有していることが好ましい。サブプレートは、前記水平片の左右方向の中央の前端から前上方に向かって延出している。メインプレートは、前記サブプレートの前端から下方に向かって延出しており、これにより、前記下支持片は、水平片の前端とともに下支持リブを形成する。下支持リブは、前記固定板の左右方向に沿って形成されている。下支持リブは、前記固定板の左右方向に垂直な第３の断面を有している。前記第３の断面は、Ｌ字状に形成されている。【００２１】
また、水平片は、前記固定板の厚み方向に沿った第１の長さを有している。固定板は、その左右方向の両端に、凸条部が設けられている。各凸条部は、上下方向に延出している。各凸条部は、固定板の厚み方向に沿った第２の長さを有している。第２の長さは、前記第１の長さよりも短いことが好ましい。【００２２】
また、各凸条部は、凸条前片と、凸条側片とを有していることが好ましい。凸条前片は、前記固定板から前方に延出している。凸条側片は、前記凸条前片の前端から前記固定板の左右方向に延出している。凸条部の上端部は、滑曲面を有しており、これにより、前記固定板と前記凸条前片と前記凸条側片とは、滑らかにつながっている。凸条部の下端部は、滑曲面を有しており、これにより、前記固定板と前記凸条前片と前記凸条側片とは、滑らかにつながっている。【００２３】
また、水平片２は、水平凸部が設けられていることが好ましい。水平凸部は、上方に突出して設けられている。水平凸部の上面は平面（略平面）である。【００２４】
また、水平凸部は、前記水平片の左右方向における中央に位置することが好ましい。【００２５】
また、水平凸部は、さらに、受止水平片を有していることが好ましい。受止水平片は、水平凸部から前上方に延出している。受止水平片は、前記受止片を定義する。【００２６】
また、水平凸部には、Ｕ字状のスリットが形成されていることが好ましい。スリット１４ａは、前記固定板の上下方向に垂直な面において、Ｕ字状の断面を有している。受止水平片は、前記Ｕ字状のスリット１４ａの内側の領域で定義される。受止水平片は、前記水平凸部から前上方向に延出している。【００２７】
また、上記構成の外装材取付金具Ａを用いて建物の壁下地６０に外装材５０を取り付けて形成される外装材取付構造も好ましい。外装材取付金具Ａの固定板１が壁下地６０に取り付けられて固定され、当該外装材取付金具Ａの下側に取り付けられた外装材５０はその上端部が下支持片４と係合して支持され、当該外装材取付金具Ａの上側に取り付けられた外装材５０は、その下端部が上支持片３に係合して支持されるとともに受止片５と下側に取り付けられた外装材５０とに当接し、その荷重を当該受止片５と下側に取り付けられた外装材５０とに掛けて取り付けられている。
【発明の効果】
【００２８】
本発明の外装材取付金具によれば、受止片が外装材取付金具に設けられ、その受止片の少なくとも一部が水平片よりも上方に位置することにより、上側に取り付けられた外装材の荷重の少なくとも一部を受止片で受け止めることができるので、下側の外装材に過大な荷重をかけることなく外装材を取り付けることができ、上下方向に外装材を複数枚取り付けたときのように多大な荷重が掛かる場合でも、外装材が破損や変形することを防止することができるものである。すなわち、上側の外装材の荷重を下側の外装材と外装材取付金具の受止片とに分散して掛けることができるので、下側の外装材に過大な荷重が掛かることを防止することができるものである。そして、受止片はその荷重の一部を担う程度であるので、過大な荷重が受止片だけに掛けられて壁下地を傷めるようなこともない。したがって、壁下地に負担を掛けることなく外装材に過大な荷重が掛かるのを防止して外装材の破損や変形を防止することができるものである。【００２９】
また、受止片が上支持片を切り起こして形成された受止支持片により形成されることにより、別部材で受止片を形成する場合のような複雑な作業を必要とすることがなく、簡単に受止片を形成することが可能となるものである。【００３０】
また、受止片が水平片を切り起こして形成された受止水平片により形成されることにより、別部材で受止片を形成する場合のような複雑な作業を必要とすることがなく、簡単に受止片を形成することが可能となるものである。【００３１】
また、受止片が固定板の一部を切り起こして形成された受止固定片により形成されることにより、別部材で受止片を形成する場合のような複雑な作業を必要とすることがなく、簡単に受止片を形成することが可能となるものである。【００３２】
また、下支持片に固定板に向かって突出した固定支持片が設けられていることにより、下側の外装材を固定支持片と固定板との間で上端部を挟み込んで固定することができるので、がたつくことなく外装材を支持して取り付けることができるものである。【００３３】
また、受止片が設けられた外装材取付金具を用い、上側に取り付けられた外装材の荷重を外装材取付金具の受止片と下側に取り付けられた外装材とに分散して掛けるようにした構造になることにより、外装材に過大な荷重が掛かることを防止することができるものである。そして、受止片はその荷重の一部を担う程度であるので、過大な荷重が受止片だけに掛けられて壁下地を傷めるようなこともない。したがって、壁下地に負担を掛けることなく外装材に過大な荷重が掛かるのを防止して外装材の破損や変形を防止することができるものである。
【図面の簡単な説明】
【００３４】
【図１】本発明の実施の形態の一例を示す図であり、外装材取付金具を用いて形成した外装材取付構造の概略断面図である。
【図２】外装材取付金具の実施の形態の一例であり、（ａ）は平面図、（ｂ）は正面図である。
【図３】同上の実施の形態の一例であり、（ａ）は側面図、（ｂ）は図２（ｂ）のＸ−Ｘ’断面図、（ｃ）は図２（ｂ）のＹ−Ｙ’断面図である。
【図４】本発明の実施の形態の他の一例を示す図であり、外装材取付金具を用いて形成した外装材取付構造の概略断面図である。
【図５】外装材取付金具の実施の形態の他の一例であり、（ａ）は平面図、（ｂ）は正面図である。
【図６】同上の実施の形態の一例であり、（ａ）は側面図、（ｂ）は図５（ｂ）のＸ−Ｘ’断面図、（ｃ）は図５の（ｂ）Ｙ−Ｙ’断面図である。
【図７】外装材取付金具の実施の形態の他の一例であり、（ａ）は正面図、（ｂ）は底面図である。
【図８】同上の実施の形態の一例であり、（ａ）は側面図、（ｂ）は図７（ａ）のＸ−Ｘ’断面図、（ｃ）は図７（ａ）のＹ−Ｙ’断面図である。
【図９】外装材取付金具の実施の形態の他の一例であり、（ａ）は正面図、（ｂ）は底面図、（ｃ）は側面図、（ｄ）はＩのＸ−Ｘ’断面図、（ｅ）はＩのＹ−Ｙ’断面図、（ｆ）はＩのＺ−Ｚ’断面図、（ｇ）はＩのＰ−Ｐ’断面図、（ｈ）はＩのＱ−Ｑ’断面図である。
【図１０】外装材取付金具の実施の形態の他の一例であり、（ａ）は正面図、（ｂ）は底面図、（ｃ）は側面図、（ｄ）はＩのＸ−Ｘ’断面図、（ｅ）はＩのＹ−Ｙ’断面図、（ｆ）はＩのＺ−Ｚ’断面図、（ｇ）はＩのＰ−Ｐ’断面図、（ｈ）はＩのＱ−Ｑ’断面図である。
【図１１】外装材取付金具を用いて形成した外装材取付構造の他の一例を示す概略断面図である。
【図１２】従来の外装材取付金具及び外装材取付構造の一例を示す概略断面図である。
【発明を実施するための形態】
【００３５】
以下、本発明の実施の形態を説明する。
【００３６】
図２及び図３は、本発明の外装材取付金具Ａの実施の形態の一例であり、図１は、この外装材取付金具Ａを用いて、壁下地６０に外装材５０を取り付けた外装材取付構造の一例である。
【００３７】
外装材取付金具Ａは、固定板１と、固定板１の中央で前方に突出して設けられた水平片２と、水平片２の前端から上方に突出して設けられた上支持片３と、水平片２の前端から下方に突出して設けられた下支持片４とを備えている。この外装材取付金具Ａは、金属板を切断、折り曲げなどをして適宜加工して得られるものである。図示の形態では、水平片２、上支持片３及び下支持片４は、固定板１の一部を切り起して形成されている。そのため、固定板１の下部には開口部２０が形成されている。なお、固定板１の中央とは、固定板１の上端又は下端ではないとのことであり、水平片２は固定板１の上下方向の半分の位置よりも上側又は下側に形成されていてもよい。
【００３８】
固定板１は、外装材取付金具Ａの本体を構成するとともに建物の壁下地６０に取り付けて固定されるものであり、釘やビス、ネジなどの固定具６１を壁下地６０に打ち付けるための固定具孔１０が形成されている。固定板１の上端部及び下端部には、強度を高めるために横方向に亘って前方に突出し屈曲して断面略「Ｌ」字状に形成された固定リブ２１及び、断面略「Ｃ」字状に形成された固定リブ２２がそれぞれ形成されている。また、固定板１の両側端部には、水平片２の突出長さよりも短い長さで前方に突出し、壁下地６０と外装材５０との間に通気スペース６２を形成する凸条部１１がそれぞれ設けられている。凸条部１１は、固定板１の側端から前方に略垂直に突出した凸条前片１２と、凸条前片１２の前端から略垂直に固定板１とは反対方向に突出した凸条側片１３とから構成されている。ただし、凸条部１１の上端部及び下端部は、固定板１と凸条前片１２と凸条側片１３とが滑らかに繋がった滑曲面として形成されている。
【００３９】
水平片２は、固定板１と略垂直に前方に、凸条部１１の突出長さよりも大きい突出長さで突出して形成されている。それにより、図１のように、上側の外装材５０の下係合部５３を凸条部１１と上支持片３との間に挿入して係合し、また、下側の外装材５０の上係合部５４を凸条部１１と下支持片４との間に挿入して係合し、上下に外装材５０を支持して取り付けることができるようになっている。水平片２と固定板１との境界部分の両側端部には、強度を高めるために、図３（ｃ）に示すように、上前方に突出して形成された水平リブ２３がそれぞれ形成されている。また、水平片２の中央部には上方に突出し、上部が略平面となった水平凸部１４が形成されている。この水平凸部１４はリブとして機能し、強度を高めるものである。なお、水平片２は、二つの外装材５０と上下で係合するように形成されていればよく、斜め上方や斜め下方に傾斜するなど必ずしも固定板１と垂直になっていなくてもよい。
【００４０】
上支持片３としては、図示の形態においては、二つの上支持片３が設けられており、各上支持片３，３は、水平片２の両側端部のそれぞれに形成されている。上支持片３は、水平片２の前端から前方に傾斜して上方に突出しており、それにより、外装材５０の下係合部５３を固定板１と上支持片３との間に挿入しやすくしている。上支持片３と水平片２との境界部分には、強度を高めるために、上後方に突出して形成された上支持リブ２４が形成されている。
【００４１】
下支持片４は、水平片２の前端部の中央から固定板１と略平行に下方に突出して形成されている。ただし、水平片２の前端部は、二つの上支持片３が分岐したあと、僅かに上方に傾斜しながら前方に突出した後に屈曲して下方に突出しており、下支持片４と水平片２の前端とで断面略「Ｌ」字状になるように形成された下支持リブ２５が横方向に亘って水平片２と下支持片４との境界部分に形成されている。
【００４２】
そして、本発明の外装材取付金具Ａにあっては、上側に取り付けられる外装材５０に当接するための受止片５が設けられている。図２及び図３の形態においては、受止片５は、上支持片３の一部を切り起こし、固定板１に向かって突出して形成された受止支持片６として設けられている。このように、受止片５が切り起こしによって形成されていれば、別部材で構成する場合のような複雑な作業で形成する必要がなく、簡単に受止片５を形成することができる。
【００４３】
受止支持片６は、二つの上支持片３の下端部の内側部がそれぞれ下側で切り起こされて形成されており、固定板１に向かって略垂直に、すなわち水平片２と略平行に突出している。つまり、受止支持片６は、上支持片３と横方向で連結した片持ち構造になっている。そして、受止支持片６は、水平片２に設けられた水平凸部１４の上面と同じかそれよりも上方に位置するように設けられており、そのため、図１のように、外装材５０を取り付けた際には、下係合部５３を凸条部１１と上支持片３との間に挿入した上側の外装材５０は、その下係合部５３の下面が受止支持片６に当接するようになっている。
【００４４】
次に、上記の外装材取付金具Ａを用いて外装材５０を取り付ける方法について説明する。
【００４５】
外装材５０としては、横方向に長い矩形状のものを用いることができる。この外装材５０の上端部には全長に亘って上方に突出した上係合部５４が設けられている。そして、上係合部５４は外装材５０の裏面側寄りに形成されており、外装材５０の上端面は当接面５２として形成されている。また、外装材５０の下端部には、全長に亘って下方に突出した下係合部５３と、下係合部５３よりも大きい突出長さで全長に亘って下方に突出した覆い部５１とが設けられている。そして、下係合部５３は外装材５０の裏面側寄りに設けられ、覆い部５１は外装材５０の表面側寄りに設けられている。このような形状の外装材５０を用いることにより、固定具６１を直接打ち付けることをなく外装材５０を壁下地６０に取り付けることができ、また、取り付けた後に外装材取付金具Ａを覆い隠して外部に露出しないようにすることができ、建物の外装を意匠性よく容易に形成することができるものである。
【００４６】
まず、下側に取り付けられる外装材５０との位置合わせを行って外装材取付金具Ａを壁下地６０の表面の所定位置に配置し、固定板１の固定具孔１０から釘やビスなどの固定具６１を壁下地６０に打ち付けて、外装材取付金具Ａを壁下地６０に取り付けて固定する。図示の構造では、固定具６１として上側の固定具孔１０に釘を、下側の固定具孔１０にビスを用いた様子を示しているが、壁下地６０の躯体材料に合わせてどちらか一方のみを使用してもよい。また、このとき、先に下側の外装材５０の取り付けを行って、外装材取付金具Ａを上方から下方に移動しながら下支持片４と凸条部１１との間にこの外装材５０の上係合部５４を挿入して下支持片４で上係合部５４を引っ掛けて係合させて取り付ける。
【００４７】
次に、上側の外装材５０を上方から下方に移動させ、覆い部５１を上支持片３及び下支持片４よりも前方に配置しながら下係合部５３を上支持片３と凸条部１１との間に挿入し、上支持片３で外装材５０の下係合部５３を引っ掛けて係合するようにする。そしてさらに下方に外装材５０を押し込むと、覆い部５１の下面が下側の外装材５０の当接面５２に当接し、上側の外装材５０の荷重が下側の外装材５０に掛けられて上側の外装材５０がこの位置で下側の外装材５０の上に載置される。このとき、覆い部５１は下支持片４を覆い隠し、外装材取付金具Ａの全体が外装材５０によって覆われて外部から隠れることになる。
【００４８】
ここで、上記の外装材取付金具Ａでは、上側の外装材５０を下方に押し込んだ際に、上側の外装材５０の覆い部５１が下側の外装材５０の当接面５２に当接すると同時に、或いはそれよりも先に、上側の外装材５０の下係合部５３の下面が受止片５（受止支持片６）に当接するようになっている。
【００４９】
上側の外装材５０の覆い部５１が下側の外装材５０に当接するのと同時に上側の外装材５０の下係合部５３が受止片５に当接する場合、上側の外装材５０は下側の外装材５０の当接面５２と外装材取付金具Ａの受止片５とによって支えられることになり、上側の外装材５０の荷重を下側の外装材５０と受止片５とに分散して掛けることができ、下側への外装材５０への荷重を減らすことができる。
【００５０】
しかしながら、上記のように外装材５０同士の当接と外装材５０と受止片５との当接とを同時に行うようにするには、外装材５０の寸法、外装材取付金具Ａの寸法、及びこれらの部材の取り付け寸法を正確に合わせるようにする必要がある。そして、これらの寸法を正確に合わせて複数の外装材５０を壁に取り付けることは難しい。
【００５１】
そこで、外装材取付金具Ａでは、受止片５が上下方向に変形可能に形成されていることが好ましい。この場合、上側の外装材５０の下係合部５３の下面が受止片５に先に当接し、その後、外装材５０の下方への押し込みに伴って、この当接した受止片５は当接位置が下方になるように下側に撓んで変形し、この変形は上側の外装材５０の覆い部５１が下側の外装材５０の当接面５２に当接した位置で停止する。したがって、上側の外装材５０は下側の外装材５０の当接面５２と外装材取付金具Ａの受止片５とに当接しており、この二つの当接部分で支えられ、上側の外装材５０の荷重を下側の外装材５０と受止片５とに分散して掛けることができ、下側への外装材５０への荷重を減らすことができるものである。さらに、図示の形態の場合、受止片５は上支持片３に設けられた受止支持片６として形成されていることにより、変形した受止支持片６は外装材５０の下係合部５３に対して裏面側に押す付勢力をかけることができるので、上側の外装材５０をがたつきなく支持することができるものである。
【００５２】
また、受止片５が外装材５０の下端部に食い込むように形成されていることも好ましい。この場合、上側の外装材５０の下係合部５３の下面が受止片５に先に当接し、その後、外装材５０の下方への押し込みに伴って、この当接した受止片５は外装材５０の下係合部５３の下面から外装材５０に食い込み、この食い込みは上側の外装材５０の覆い部５１が下側の外装材５０の当接面５２に当接した位置で停止する。したがって、上側の外装材５０は下側の外装材５０の当接面５２と外装材取付金具Ａの受止片５とに当接しており、この二つの当接部分で支えられ、上側の外装材５０の荷重を下側の外装材５０と受止片５とに分散して掛けることができ、下側への外装材５０への荷重を減らすことができるものである。
【００５３】
上記のように、いずれの場合も、外装材５０が取り付けられた状態では、上側の外装材５０は、覆い部５１の下面を下側の外装材５０の当接面５２に当接させるとともに下係合部５３の下面を受止片５に当接させて載置されており、上側の外装材５０の荷重を下側の外装材５０と外装材取付金具Ａの受止支持片６とに分散して掛けている。したがって、外装材５０に過大な荷重が掛かることを防止することができ、外装材５０の破損や変形を防止することができるのである。
【００５４】
ところで、水平片２よりも上方の位置に、外装材５０を受け止める部分（受止停止部）を外装材取付金具Ａに形成し、上側の外装材５０を下側の外装材５０に当接させずに、この受止停止部で外装材５０の荷重の全部を受け止める構造も考えられるが、その場合、表面に隙間が生じ、外観性がよくない。また、外装材５０から受ける荷重の全部がその受止停止部から外装材取付金具Ａにかかり、さらには壁下地６０に打ち付けられて外装材取付金具Ａを固定している固定具６１にも掛かることになる。外装材５０の荷重の全部が外装材取付金具Ａに掛かると、下方に落ちようとする荷重の全部を固定具６１が支えることになる。この場合、外装材取付金具は、各段で外装材の重量を受ける。したがって、外装材がずれてしまうことがない。
【００５５】
しかしながら、上記のような外装材取付構造によれば、外装材５０の荷重の一部を受止片５で受け止めればよく、外装材取付金具Ａが全部の荷重を受け止めなくてもよいので、壁下地６０を傷めたりすることなく外装材５０を取り付けることができるのである。
【００５６】
図５及び図６は、本発明の外装材取付金具Ａの実施の形態の他の一例であり、図４は、この外装材取付金具Ａを用いて、壁下地６０に外装材５０を取り付けた外装材取付構造の一例である。図において、図１〜３の形態と同一の構成には同一の符号を記してその説明を省略する。
【００５７】
この実施の形態では、受止片５は、水平片２の一部を切り起こし上方に突出して形成された受止水平片７として設けられている。このように、受止片５が切り起こしによって形成されていれば、別部材で構成する場合のような複雑な作業で形成する必要がなく、簡単に受止片５を形成することができる。
【００５８】
受止水平片７は、水平片２に設けられた水平凸部１４の一部が水平凸部１４の前端で切り起こされて形成されており、斜め上方に傾斜しながら前方に延伸して突出している。つまり、受止水平片７は、水平片２と横方向で連結した片持ち構造になっている。したがって、受止水平片７の先端は、水平凸部１４よりも上方に位置するように設けられており、そのため、図４のように、外装材５０を取り付けた際には、下係合部５３を凸条部１１と上支持片３との間に挿入した上側の外装材５０は、その下係合部５３の下面が受止水平片７の先端に当接するようになっている。
【００５９】
本実施の形態にあっては、上記の形態と同様、上側の外装材５０を下側の外装材５０の当接面５２と外装材取付金具Ａの受止水平片７とに当接させて取り付けることができる。したがって、受止水平片７に外装材５０の荷重の少なくとも一部を掛けることにより、下側の外装材５０に過大な荷重が掛かることを防止し、外装材５０の破損や変形を防止することができるものである。そしてさらに、受止水平片７は水平凸部１４に設けられていることにより、受止水平片７に荷重が掛けられても水平凸部１４のリブ作用によって水平片２の強度が高められているので応力で対抗することができ、外装材５０を確実に支えることが可能になるものである。
【００６０】
図７及び図８は、本発明の外装材取付金具Ａの実施の形態の他の一例である。図において、図１〜３の形態と同一の構成には同一の符号を記してその説明を省略する。
【００６１】
この実施の形態では、受止片５は、固定板１の一部を切り起こし前方に突出して形成された受止固定片８として設けられている。このように、受止片５が切り起こしによって形成されていれば、別部材で構成する場合のような複雑な作業で形成する必要がなく、簡単に受止片５を形成することができる。
【００６２】
受止固定片８は、固定板１と水平片２との境界部分の上側を固定板１との境界部分とし、縦方向に水平片２の中央まで切り込んで切り込み前端を水平片２内に横方向に設けて切り起こされて形成されており、固定板１と略垂直に（水平片２と略平行に）前方に延伸して突出している。つまり、受止固定片８は、固定板１と横方向で連結した片持ち構造になっている。したがって、受止固定片８は水平片２よりも上方に位置しており、そのため、外装材５０を取り付けた際には、下係合部５３を凸条部１１と上支持片３との間に挿入した上側の外装材５０は、その下係合部５３の下面が受止固定片８に当接するようになっている。
【００６３】
なお、本実施の形態では、受止固定片８が、水平片２の一部も用いられて切り起こされ形成されているため、水平片２と固定板１との境界部分の中央には開口部１９が形成されている。よって強度を高めるために、水平リブ２３が、前方に延伸して上支持リブ２４と繋がるとともに、上方にも延伸して固定リブ２１と繋がっている。
【００６４】
また、下支持片４は両側に幅が広がりながら下方に突出しており、一方、上支持片３は内側部が斜め上方に切り込まれ幅を狭めながら上方に突出している。
【００６５】
本実施の形態にあっては、上記の形態と同様、上側の外装材５０を下側の外装材５０の当接面５２と外装材取付金具Ａの受止固定片８とに当接させて取り付けることができる。したがって、受止固定片８に外装材５０の荷重の少なくとも一部を掛けることにより、下側の外装材５０に過大な荷重が掛かることを防止し、外装材５０の破損や変形を防止することができるものである。
【００６６】
図９及び図１０は、それぞれ、本発明の外装材取付金具Ａの実施の形態の他の一例である。図９の形態は、薄型の金具であり、例えば凸条部１１の突出長さが５ｍｍ程度に設定されて幅狭の通気スペース６２が形成されるものである。一方、図１０の形態は、厚型の金具であり、例えば、凸条部１１の突出長さが１５ｍｍ程度に設定されて幅広の通気スペース６２が形成されるものである。また、図１１は、図９の外装材取付金具Ａによって形成された外装材取付構造の一例を示している。
【００６７】
本実施の形態では、図５及び図６の形態と同様に、受止片５として、受止水平片７が水平片２に形成された水平凸部１４に設けられている。図において、前記の形態と同一の構成には同一の符号を記してその説明を省略する。なお、各図では、金属板の厚みや、断面視での遠方の金属板を破線で示している。
【００６８】
この実施の形態では、下支持片４が、両側に形成された二つの下支持側片１５，１５と、中央に形成された固定支持片９とからなる。下支持側片１５は、水平片２と略垂直に（固定板１と略平行に）下方に突出して設けられている。一方、固定支持片９は、固定板１に向かって突出するように下支持片４に設けられており、図示の形態では、固定板１に向かって傾斜して下方に突出する挟み片９ａと、挟み片９ａから前方に傾斜して下方に突出する挟み先端片９ｂとからなり、全体として断面Ｖ字状に形成されている。この固定支持片９は、下支持片４の一部が切り起こされて形成されており、そのため、別部材で構成することなく簡単に固定支持片９を形成することができる。
【００６９】
また、下支持片４の全体を屈曲させるなどして固定板１に向かって突出させたような場合に比べて、固定支持片９は横方向の幅が狭いので前後方向への変形が容易となり、外装材５０を挿入し易くすることができるとともに挿入された外装材５０を弾性力で押圧して確実に挟み込んで固定することができるものである。
【００７０】
本実施の形態にあっては、上記の形態と同様、上側の外装材５０を下側の外装材５０の当接面５２と外装材取付金具Ａの受止水平片７とに当接させて取り付けることができる。したがって、外装材５０の荷重の少なくとも一部を受止水平片７に掛けることにより、下側の外装材５０に過大な荷重が掛かることを防止し、外装材５０の破損や変形を防止することができる。
【００７１】
それに加えて、下側に外装材５０を取り付けた際には、図１１に示すように、下側の外装材５０の上係合部５４の前面に固定支持片９が当接して、固定板１に設けられた凸条部１１と固定支持片９とで外装材５０を挟みこんで固定することができる。したがって、下側の外装材５０をがたつくことなく支持して取り付けることができるものである。
【００７２】
上記のように外装材取付金具Ａの受止片５として、受止支持片６と受止水平片７と受止固定片８とを図示して説明したが、本発明において受止片５が設けられる位置はこれに限られない。例えば、凸条部１１を構成している凸条側片１３の一部を切り起こし前面に突出させるようにして受止片５（受止凸条片）を形成してもよい。
【００７３】
以上述べたように、本発明の外装用取付金具Ａは建物の壁の上下方向に沿って取り付けられる上側外装材５０及び下側外装材５０を建物の壁に固定するために使用される。外装用取付金具Ａは、壁の上下方向に沿った上下方向と、壁の左右方向に沿った左右方向と、壁に垂直は方向に沿った前後方向を有している。外装用取付金具Ａは、固定板１と、水平片２と、上支持片３と、下支持片４とを有している。固定板１は、建物の壁下地６０に取り付けられて、建物の壁下地６０に対して固定される。水平片２は、固定板１の上下方向の中央で前方に突出して設けられている。上支持片３は、水平片２の前端から上方に突出して設けられ、上側に取り付けられる上側外装材５０の下端部を係合して支持する。下支持片４は、水平片２の前端から下方に突出して設けられ、下側に取り付けられる下側外装材５０の上端部を係合して支持する。前記外装材取付金具Ａは、さらに、受止片５を有している。受止片５は、少なくとも一部が水平片２よりも上方に位置する。受止片５は、上側に取り付けられる上側外装材５０の下端部にと右折してその荷重の少なくとも一部を受ける。
【００７４】
この場合、下側外装材５０に過大な荷重をかけることなく上側外装材５０を壁下地６０に取り付けることができる。したがって、上下方向に外装材５０を複数枚取り付けたときのように多大な荷重が掛かる場合でも、外装材５０が破損や変形することを防止することができる。すなわち、上側の外装材５０の荷重を下側の外装材５０と外装材取付金具Ａの受止片５とに分散して掛けることができる。したがって、下側の外装材５０に過大な荷重が掛かることを防止することができる。そして、受止片５はその荷重の一部を担う程度である。したがって、過大な荷重が受止片５だけに掛けられて壁下地６０を傷めるようなこともない。したがって、壁下地６０に負担を掛けることなく外装材５０に過大な荷重が掛かるのを防止して外装材５０の破損や変形を防止することができる。
【００７５】
また、図１，図２（ａ），（ｂ），図３（ａ）〜（ｃ）に示すように、受止片５は、前記上支持片３から前記固定板１に向かって突出して形成された受止支持片６である。
【００７６】
また、図１，図２（ａ），（ｂ），図３（ａ）〜（ｃ）に示すように、受止支持片６は、上支持片３の一部を切り起こし、前記固定板１に向かって突出して形成されている。
【００７７】
この場合、別部材で受止片５を形成する場合のような複雑な作業を必要とすることがない。したがって、簡単に受止片５を形成することが可能となるものである。さらに、受止片５は、上支持片３の一部を切り起こして、固定板１に向かって突出するように形成されている。言い換えると、受止片５は、上支持片３の一部を固定板１に向かって突出するように折り曲げて形成されている。したがって、受止片５は、一端が上支持片３に保持された板ばねとして機能する。したがって、受止片５に一定以上の荷重が加わった場合、受止片５は、下方に向かってたわむ。即ち、受止片５が下方にたわむに伴って、上側外装材５０が下側外装材５０に近づき、その結果、上側外装材５０の下端が、下側外装材５０の上端と接触する。したがって、上側外装材５０と下側外装材５０との間に隙間が形成されることを防ぐことができる。また、上側外装材５０と下側外装材５０とが接触する際に、上側外装材５０と下側外装材５０との両方に大きな力が加わることを防ぐことができる。
【００７８】
また、図４，図５，図６に示すように、受止片５は、水平片２に設けられた受止水平片７である。
【００７９】
そして、図４，図５，図６に示すように、受止水平片７は、水平片２の一部を切り起こして形成されている。
【００８０】
さらに、受止水平片７は、水平片２から前上方に向かって延出している。
【００８１】
この場合も、別部材で受止片５を形成する場合のような複雑な作業を必要とすることがない。したがって、簡単に受止片５を形成することが可能となるものである。また、上側外装材５０と下側外装材５０とが接触する際に、上側外装材５０と下側外装材５０との両方に大きな力が加わることを防ぐことができる。
【００８２】
また、図７，図８に示すように、受止片５は、前記固定板１から前方に向かって突出して形成された受止固定片８である。
【００８３】
そして、前記受止固定片８は、固定板１の一部を切り起こして形成されている。
【００８４】
この場合も、別部材で受止片５を形成する場合のような複雑な作業を必要とすることがない。したがって、簡単に受止片５を形成することが可能となるものである。上側外装材５０と下側外装材５０とが接触する際に、上側外装材５０と下側外装材５０との両方に大きな力が加わることを防ぐことができる。
【００８５】
また、図９（ａ）〜（ｈ），図１０（ａ）〜（ｈ），図１１に示すように、下支持片４は、固定支持片９を有している。固定支持片９は、固定板１に向かって突出している。
【００８６】
より詳しく説明すると、そして、固定支持片９は、挟み片９ａと、挟み先端片９ｂとを有している。挟み片９ａは、前記水平片２から後下方に延出している。挟み先端片９ｂは、前記挟み片９ａの下端から前下方に延出している。これにより、下支持片４は、前記固定板１の左右方向に垂直な第１の断面を有している。第１の断面はＶ字形状を有している。
【００８７】
この場合、固定支持片９は、下側に取り付けられる下側外装材５０の前面の上端に対して弾性接触する。その結果、固定支持片９は、固定板１と協同して、それらの間で下側外装材５０を挟み込んで固定する。したがって、外装材のがたつきを防ぎながら外装材を支持して取り付けることができる外装材取付金具が得られる。
【００８８】
また、下支持片４は、一対の下支持側片１５を有している。下支持側片１５は、前記固定板１の左右方向に沿って配置されている。固定支持片９は、前記下支持側片１５の間に位置する。
【００８９】
この場合、固定支持片９は横方向の幅が狭い。したがって、下支持片４の全体を屈曲させるなどして固定板１に向かって突出させたような場合に比べて、前後方向への変形が容易となる。その結果、外装材５０を挿入し易くすることができる。また、挿入された外装材５０を弾性力で押圧して確実に挟み込んで固定することができる。
【００９０】
また、各図面に示されているように、外装材取付金具Ａは、さらに、固定リブ２１を有している。固定リブ２１は、前記固定板１の上端部に設けられている。固定リブ２１は、固定板１の横方向にわたって設けられている。固定リブ２１は、前方に突出するように屈曲して形成された板である。
【００９１】
この場合、固定板１の強度を高めることができる。具体的に説明すると、たとえ水平片２に荷重が加わったとしても、これにより固定板１が曲がることを防ぐことができる。
【００９２】
また、固定リブ２１は、下側傾斜板と上側傾斜板とを有している。下側傾斜板は、前記固定板１の上端から前上方に向かって延出している。上側傾斜板は、前記下側傾斜板の上端から後上方に延出しており、これにより、前記固定リブ２１は、前記固定板１の左右方向に垂直な第２の断面を有している。第２の断面は、Ｌ字状に形成されている。上側傾斜板には、固定具孔が設けられている。固定具孔は、上側傾斜板の裏面から表面に貫通している。
【００９３】
この場合、強度が高い固定リブ２１に固定具孔が形成されている。したがって、たとえ外装材取付金具が固定具孔を備えていても、外装材取付金具は高い強度を有することができる。
【００９４】
また、外装材取付金具Ａは、さらに、固定リブ２２を有している。固定リブ２２は、前記固定板１の下端部に設けられている。固定リブ２２は、固定板１の横方向にわたって設けられている。固定リブ２２は、前方に突出するように屈曲して形成された板である。
【００９５】
この場合も、固定板１の強度を高めることができる。具体的に説明すると、たとえ水平片２に荷重が加わったとしても、これにより固定板１が曲がることを防ぐことができる。
【００９６】
また、上支持片３は、前記水平片２の左右方向の両端部にそれぞれ設けられている。
【００９７】
この場合、水平片２は、上側外装材５０を安定して保持することができる。その結果、上側外装材５０の下端が前方に移動することを防ぐことができる。
【００９８】
また、前記各上支持片３は、水平片２の前端から前上方向に延出している。
【００９９】
この場合も、水平片２は、上側外装材５０を安定して保持することができる。その結果、上側外装材５０の下端が前方に移動することを防ぐことができる。
【０１００】
また、下支持片４は、メインプレート４ａとサブプレート４ｂとを有している。サブプレート４ｂは、前記水平片２の左右方向の中央の前端から前上方に向かって延出している。メインプレート４ａは、前記サブプレート４ｂの前端から下方に向かって延出しており、これにより、前記下支持片４は、水平片２の前端とともに下支持リブ２５を形成する。下支持リブ２５は、前記固定板の左右方向に沿って形成されている。下支持リブ２５は、前記固定板の左右方向に垂直な第３の断面を有している。第３の断面は、Ｌ字状に形成されている。
【０１０１】
この場合、下支持片４の強度を高めることができる。
【０１０２】
また、水平片２は、前記固定板１の厚み方向に沿った第１の長さを有している。固定板１は、その左右方向の両端に、凸条部１１が設けられている。前記各凸条部１１は、上下方向に延出している。各凸条部１１は、固定板１の厚み方向に沿った第２の長さを有している。第２の長さは、第１の長さよりも短い。
【０１０３】
この場合、上支持片３と凸条部１１との間で確実に上側外装材５０を保持することができる。
【０１０４】
また、各凸条部１１は、凸条前片１２と、凸条側片１３とを有している。凸条前片１２は、前記固定板１から前方に延出している。凸条側片１３は、前記凸条前片１２の前端から前記固定板１の左右方向に延出している。凸条部１１の上端部は、滑曲面を有しており、これにより、前記固定板１と前記凸条前片１２と前記凸条側片１３とは、滑らかにつながっている。また、凸条部１１の下端部は、滑曲面を有しており、これにより、前記固定板１と前記凸条前片１２と前記凸条側片１３とは、滑らかにつながっている。
【０１０５】
この場合、上側外装材５０を壁下地６０に沿って外装材取付金具Ａにスムーズに取り付けることができる。同様に、下側外装材５０を壁下地６０に沿って外装材取付金具Ａにスムーズに取り付けることができる。
【０１０６】
また、前記水平片２は、水平凸部１４が設けられている。水平凸部１４は、上方に突出して設けられている。水平凸部１４の上面は平面である。
【０１０７】
また、水平凸部１４は、前記水平片２の左右方向における中央に位置する。
【０１０８】
この場合、水平片２の強度を高めることができる。
【０１０９】
また、水平凸部１４は、さらに、受止水平片７を有している。受止水平片７は、水平凸部１４から前上方に延出している。受止水平片７は、前記受止片５を定義する。
【０１１０】
また、図５，図９，図１０に示すように、水平凸部１４には、Ｕ字状のスリット１４ａが形成されている。スリット１４ａは、前記固定板１の厚み方向に垂直な面において、Ｕ字状の断面を有している。受止水平片７は、前記Ｕ字状のスリット１４ａの内側の領域で定義される。受止水平片７は、前記水平凸部１４から前上方向に延出している。
【０１１１】
この場合、別部材で受止片５を形成する場合のような複雑な作業を必要とすることがない。したがって、簡単に受止片５を形成することが可能となるものである。上側外装材５０と下側外装材５０とが接触する際に、上側外装材５０と下側外装材５０との両方に大きな力が加わることを防ぐことができる。また、水平片２は、水平凸部１４によって強度が高められている。したがって、受止片５が大きな荷重を受けても、水平片２が破損することを防ぐことができる。
【０１１２】
また、上記の外装材取付金具Ａを用いて建物の壁下地６０に外装材５０を取り付けて形成された外装材５０取付構造を採用することが好ましい。外装材取付金具Ａの固定板１が壁下地６０に取り付けられて固定されている。外装材取付金具Ａの下側に取り付けられた下側外装材５０はその上端部が下支持片４と係合して支持されている。外装材取付金具Ａの上側に取り付けられた上側外装材５０は、その下端部が上支持片３に係合して支持されるとともに受止片５と下側に取り付けられた下側外装材５０とに当接する。上側外装材５０の荷重は、受止片５と下側外装材５０とに掛けて取り付けられている。
【０１１３】
この場合、壁下地６０に負担を掛けることなく外装材５０に過大な荷重が掛かるのを防止して外装材５０の破損や変形を防止することができる。
【符号の説明】
【０１１４】
１      固定板
２      水平片
３      上支持片
４      下支持片
５      受止片
６      受止支持片
７      受止水平片
８      受止固定片
９      固定支持片
Ａ      外装材取付金具
５０    外装材
６０    壁下地
【図１】
2011040515.tif 000003
【図２】
2011040515.tif 000004
【図３】
2011040515.tif 000005
【図４】
2011040515.tif 000006
【図５】
2011040515.tif 000007
【図６】
2011040515.tif 000008
【図７】
2011040515.tif 000009
【図８】
2011040515.tif 000010
【図９】
2011040515.tif 000011
【図１０】
2011040515.tif 000012
【図１１】
2011040515.tif 000013
【図１２】
2011040515.tif 000014
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
建物の壁の上下方向に沿って取り付けられる外装材を建物の壁に固定するための外装材取付金具であって、
建物の壁下地に取り付けて固定される固定板と、
前記固定板の中央で前方に突出して設けられた水平片と、
前記水平片の前端から上方に突出して設けられ、上側に取り付けられる前記外装材の下端部を係合して支持する上支持片と、
前記水平片の前端から下方に突出して設けられ、下側に取り付けられる他の前記外装材の上端部を係合して支持する下支持片とを備えてなり、
前記外装材取付金具には、少なくとも一部が前記水平片よりも上方に位置し、上側に取り付けられる前記外装材の下端部に当接してその荷重の少なくとも一部を受け止める受止片が設けられていることを特徴とする外装材取付金具。
【請求項２】
前記受止片は、前記上支持片から前記固定板に向かって突出して形成された受止支持片であることを特徴とする請求項１に記載の外装材取付金具。
【請求項３】
前記受止支持片は、前記上支持片の一部を切り起こし、前記固定板に向かって突出して形成されていることを特徴とする請求項２に記載の外装材取付金具。
【請求項４】
前記受止片は、前記水平片に設けられた受止水平片であることを特徴とする請求項１に記載の外装材取付金具。
【請求項５】
前記受止水平片は、前記水平片の一部を切り起こして形成されていることを特徴とする請求項４に記載の外装材取付金具。
【請求項６】
前記受止水平片は、前記水平片から前上方に向かって延出していることを特徴とする請求項４または５に記載の外装材取付金具。
【請求項７】
前記受止片は、前記固定板から前方に向かって突出して形成された受止固定片であることを特徴とする請求項１に記載の外装材取付金具。
【請求項８】
前記受止片は、前記固定板の一部を切り起こして形成されていることを特徴とする請求項４に記載の外装材取付金具。
【請求項９】
前記下支持片に、前記固定板に向かって突出し、下側に取り付けられる前記外装材の上端部の前面に当接して前記固定板との間で前記外装材を挟み込んで固定する固定支持片が設けられたことを特徴とする請求項１〜８のいずれか１項に記載の外装材取付金具。
【請求項１０】
前記固定支持片は、挟み片と、挟み先端片とを有しており、
前記挟み片は、前記水平片から後下方に延出しており、
前記挟み先端片は、前記挟み片の下端から前下方に延出しており、これにより、前記下支持片は、前記固定板の左右方向に垂直な第１の断面を有しており、前記第１の断面はＶ字形状を有していることを特徴とする請求項９に記載の外装材取付金具。
【請求項１１】
前記下支持片は、一対の下支持側片を有しており、
前記下支持側片は、前記固定板の左右方向に沿って配置されており、
前記固定支持片は、前記下支持側片の間に位置することを特徴とする請求項９または１０に記載の外装材取付金具。
【請求項１２】
外装材取付金具は、さらに、固定リブを有しており、
前記固定リブは、前記固定板の上端部に設けられており、かつ、前記固定板の横方向にわたって設けられており、かつ、前方に突出するように屈曲して形成された板であることを特徴とする請求項１〜１１のいずれかに記載の外装材取付金具。
【請求項１３】
前記固定リブは、下側傾斜板と上側傾斜板とを有しており、
前記下側傾斜板は、前記固定板の上端から前上方に向かって延出しており、
前記上側傾斜板は、前記下側傾斜板の上端から後上方に延出しており、これにより、前記固定リブは、前記固定板の左右方向に垂直な第２の断面を有しており、第２の断面は、Ｌ字状に形成されており、
前記上側傾斜板には、固定具孔が設けられていることを特徴とする請求項１２に記載の外装材取付金具。
【請求項１４】
外装材取付金具は、さらに、固定リブを有しており、
前記固定リブは、前記固定板の下端部に設けられており、かつ、前記固定板の横方向にわたって設けられており、かつ、前方に突出するように屈曲して形成された板であることを特徴とする請求項１〜１３のいずれかに記載の外装材取付金具。
【請求項１５】
前記上支持片は、前記水平片の左右方向の両端部にそれぞれ設けられていることを特徴とする請求項１〜１４のいずれかに記載の外装材取付金具。
【請求項１６】
各前記上支持片は、前記水平片の前端から前上方向に延出していることを特徴とする請求項１〜１５のいずれかに記載の外装材取付金具。
【請求項１７】
前記下支持片は、メインプレートとサブプレートとを有しており、
前記サブプレートは、前記水平片の左右方向の中央の前端から前上方に向かって延出しており、
前記メインプレートは、前記サブプレートの前端から下方に向かって延出しており、これにより、前記下支持片は、前記水平片の前端とともに下支持リブを形成し、
前記下支持リブは、前記固定板の左右方向に沿って形成されており、
前記下支持リブは、前記固定板の左右方向に垂直な第３の断面を有しており、前記第３の断面は、Ｌ字状に形成されていることを特徴とする請求項１〜１６のいずれかに記載の外装材取付金具。
【請求項１８】
前記水平片は、前記固定板の厚み方向に沿った第１の長さを有しており、
前記固定板は、その左右方向の両端に、凸条部が設けられており、
各前記凸条部は、上下方向に延出しており、かつ、前記固定板の厚み方向に沿った第２の長さを有しており、前記第２の長さは、前記第１の長さよりも短いことを特徴とする請求項１〜１７のいずれかに記載の外装材取付金具。
【請求項１９】
各前記凸条部は、凸条前片と、凸条側片とを有しており、
前記凸条前片は、前記固定板から前方に延出しており、
前記凸条側片は、前記凸条前片の前端から前記固定板の左右方向に延出しており、
前記凸条部の上端部は、滑曲面を有しており、これにより、前記固定板と前記凸条前片と前記凸条側片とは、滑らかにつながっていることを特徴とする請求項１８に記載の外装材取付金具。
【請求項２０】
前記水平片２は、水平凸部が設けられており、
前記水平凸部は、上方に突出して設けられており、
前記水平凸部の上面は平面であることを特徴とする請求項１〜１９のいずれかに記載の外装材取付金具。
【請求項２１】
前記水平凸部は、前記水平片の左右方向における中央に位置することを特徴とする請求項２０に記載の外装材取付金具。
【請求項２２】
前記水平凸部は、さらに、受止水平片を有しており、
前記受止水平片は、前記水平凸部から前上方に延出しており、
前記受止水平片は、前記受止片を定義することを特徴とする請求項２１に記載の外装材取付金具。
【請求項２３】
前記水平凸部には、Ｕ字状のスリットが形成されており、
前記スリットは、前記固定板の上下方向に垂直な面において、Ｕ字状の断面を有しており、
前記受止水平片は、前記スリットの内側の領域で定義され、
前記受止水平片は、前記水平凸部から前上方向に延出していることを特徴とする請求項２１または２２に記載の外装材取付金具。
【請求項２４】
請求項１〜２３のいずれか１項に記載の外装材取付金具を用いて建物の壁下地に前記外装材を取り付けて形成された外装材取付構造であって、
外装材取付金具の前記固定板が壁下地に取り付けられて固定され、
当該外装材取付金具の下側に取り付けられた前記外装材はその上端部が前記下支持片と係合して支持され、
当該外装材取付金具の上側に取り付けられた前記外装材は、その下端部が前記上支持片に係合して支持されるとともに前記受止片と下側に取り付けられた前記外装材とに当接し、その荷重を前記受止片と下側に取り付けられた前記外装材とに掛けて取り付けられていることを特徴とする外装材取付構造。
【国際調査報告】
2011040515.tif 000015
2011040515.tif 000016
2011040515.tif 000017
2011040515.tif 000018